(57)【要約】【課題】複数の番組を同時に見ることができるテレビにおいて、複数の画面を表示する場合（以降、マルチ表示という）のチャンネル選局操作を容易にする。【解決手段】ユーザによる複数の選局チャンネルのボタンが押されると、ボタン検出部１２１−１〜１２１−ｎを介して押されたボタンがリモコン制御部１２２に通知される。リモコン制御部１２２は、押されたボタンに対応する複数のチャンネル番号を独立して検出し、かつ、その入力順序を検出する。この検出に基づいて、リモコン信号送信部１２３からリモコン信号がテレビ装置１００へ送信される。テレビ装置１００のテレビ制御部では、通知された複数のチャンネル番号を、その入力順序に基づいて、チャンネル設定する。【選択図】図１
2011109413.tif 000002
【特許請求の範囲】
【請求項１】
複数のチューナーを備え、複数のチャンネルを同時に表示できるテレビ装置と、上記テレビ装置を操作するリモコン装置とからなるテレビジョンシステムであって、
上記リモコン装置は、
ユーザがチャンネルを選択入力するための操作入力部と、
上記操作入力部から入力された複数のチャンネル番号を独立して検出可能であり、かつ、選択入力された複数のチャンネル番号の入力順序をも検出可能な入力検出部と、
上記入力検出部によって検出された複数のチャンネル番号と、その入力順序とをリモコン信号として上記テレビ装置へ送信する信号送信部とを備えており、
上記テレビ装置は、
上記リモコン信号を受信する信号受信部と、
上記リモコン信号において通知される複数のチャンネル番号を、その入力順序に基づいて、上記複数のチューナーのそれぞれで受信するチャンネルを設定するチャンネル設定部とを備えていることを特徴とするテレビジョンシステム。
【請求項２】
上記入力検出部は、
上記操作入力部から入力された複数のチャンネル番号を順番にリストして記憶する記憶部と、
上記入力検出部によってチャンネル番号の入力が検出された時に、入力が検出されたチャンネル番号と上記記憶部に記憶されているチャンネル番号とを比較し、その比較結果に応じて上記記憶部に記憶されるチャンネル番号を変更するメモリ制御部とを備えており、
上記メモリ制御部は、
上記記憶部に記憶されているチャンネル番号のうち、入力が検出されなかったチャンネル番号を上記記憶部のリストから削除し、
入力が検出されたチャンネル番号のうち、上記記憶部に記憶されていないチャンネル番号を、上記記憶部のリストの最後に記憶させ、
上記入力検出部によるチャンネル番号の入力検出後は、上記記憶部のリストに記憶されているチャンネル番号とその記憶順序とをリモコン信号として上記テレビ装置へ送信することを特徴とする請求項１に記載のテレビジョンシステム。
【請求項３】
上記テレビ装置および上記リモコン装置は無線通信機能を備えており、上記テレビ装置から上記リモコン装置へ無線通信によって番組表情報を送信可能であり、
上記リモコン装置は、
上記番組表情報を表示する画像表示部と、
上記操作入力部および上記入力検出部として機能するタッチパネルとを有していることを特徴とする請求項１または２に記載のテレビジョンシステム。
【請求項４】
上記テレビ装置から上記リモコン装置へは、無線通信によって上記番組表情報に加えて、テレビ装置が選局しているチャンネル情報を送信可能であり、
上記リモコン装置の画像表示部では、上記番組表情報にテレビ装置が選局しているチャンネル情報を合わせて表示可能であることを特徴とする請求項３に記載のテレビジョンシステム。
【発明の詳細な説明】
【技術分野】
【０００１】
本発明は、複数の番組を同時に見ることができるテレビで、視聴する番組を選択する際にリモコンを使用し、見たい番組を選局するテレビジョンシステムに関する。
【背景技術】
【０００２】
地上波、衛星放送のデジタル放送化やケーブルテレビの普及により、視聴できるテレビ番組が増えている。
【０００３】
また、ブラウン管テレビから液晶テレビ／プラズマテレビへの移行が進むと同時に、テレビの画面が大きくなってきている。大画面のテレビでは、２分割、４分割しても十分な大きさが得られることから、Ｗチューナー内蔵テレビのように、複数のチューナーを備え複数のテレビ番組を一度に表示する技術がある。
【０００４】
複数の画面を一度に表示した時の操作には、２画面ボタンにより２画面モードにして操作を行う技術や、カーソルを使用して選局する技術などがある。
【０００５】
特許文献１では、リモコンのインデックスボタンまたは２画面ボタンの操作により、選局チャネルを選ぶ技術が開示されている。また、特許文献２では、カーソル操作により、番組一覧から見たい番組を選択する技術が開示されている。
【先行技術文献】
【特許文献】
【０００６】
【特許文献１】特開平７−１０７４１０号公報（１９９５年４月２１日公開）
【特許文献２】特開平６−５４２６７号公報（１９９４年２月２５日公開）
【発明の概要】
【発明が解決しようとする課題】
【０００７】
しかしながら、特許文献１または特許文献２の従来技術では、２画面ボタンの操作やカーソルによる操作において、チャンネルを選択する際に複数の操作が必要であり、ユーザにとっての操作が煩雑となるといった問題がある。
【０００８】
本発明では、複数の画面を表示する場合（以降、マルチ表示という）のチャンネル選局操作を容易にすることと、マルチ表示から１局を選択したときの通常表示の切換え操作を簡単にすることを目的とする。
【課題を解決するための手段】
【０００９】
上記の課題を解決するために、本発明は、複数のチューナーを備え、複数のチャンネルを同時に表示できるテレビ装置と、上記テレビ装置を操作するリモコン装置とからなるテレビジョンシステムであって、上記リモコン装置は、ユーザがチャンネルを選択入力するための操作入力部と、上記操作入力部から入力された複数のチャンネル番号を独立して検出可能であり、かつ、選択入力された複数のチャンネル番号の入力順序をも検出可能な入力検出部と、上記入力検出部によって検出された複数のチャンネル番号と、その入力順序とをリモコン信号として上記テレビ装置へ送信する信号送信部とを備えており、上記テレビ装置は、上記リモコン信号を受信する信号受信部と、上記リモコン信号において通知される複数のチャンネル番号を、その入力順序に基づいて、上記複数のチューナーのそれぞれで受信するチャンネルを設定するチャンネル設定部とを備えていることを特徴としている。
【００１０】
上記の構成によれば、上記テレビ装置で複数のチャンネルを同時表示する場合のチャンネル選局において、ユーザは操作入力部（例えば、ボタンキー）から表示しようとする複数のチャンネル番号を入力タイミングを僅かにずらして入力するのみでよく、ユーザにとっての操作が簡単となる。例えば、上記テレビ装置が、主チャンネルと副チャンネルとの２画面表示を行う場合、ユーザは主チャンネルに設定するボタンを押し、続いて、該ボタンを押したままで副チャンネルに設定するボタンを押すと良い。この操作は、上記入力検出部において、２つのチャンネルボタンが押されたことと、その順序が検出される。この検出結果は、上記信号送信部および上記信号受信部を介してリモコン装置からテレビ装置へ送信される。上記チャンネル設定部では、主チャンネルと副チャンネルとのチャンネル設定を行う。この操作では、従来のチャンネル選択のように、チャンネル番号入力の前の２画面ボタンの操作やカーソルによる操作が不要となる。
【００１１】
２画面表示から１画面表示に戻す時は、ユーザーは、チャンネルを一つ選局し、副チャンネルにあたる２つめのチャンネルを選択せず、選局したチャンネルのボタンを離す。これにより、２画面表示から１画面表示に切換る。これにより、通常のテレビジョンシステムでチャンネルを選局する時のリモコン操作と同様に、マルチ表示から１画面表示への切換えができ、マルチ表示の解除という操作が不要となる。
【００１２】
また、上記テレビジョンシステムでは、上記入力検出部は、上記操作入力部から入力された複数のチャンネル番号を順番にリストして記憶する記憶部と、上記入力検出部によってチャンネル番号の入力が検出された時に、入力が検出されたチャンネル番号と上記記憶部に記憶されているチャンネル番号とを比較し、その比較結果に応じて上記記憶部に記憶されるチャンネル番号を変更するメモリ制御部とを備えており、上記メモリ制御部は、上記記憶部に記憶されているチャンネル番号のうち、入力が検出されなかったチャンネル番号を上記記憶部のリストから削除し、入力が検出されたチャンネル番号のうち、上記記憶部に記憶されていないチャンネル番号を、上記記憶部のリストの最後に記憶させ、上記入力検出部によるチャンネル番号の入力検出後は、上記記憶部のリストに記憶されているチャンネル番号とその記憶順序とをリモコン信号として上記テレビ装置へ送信する構成とすることができる。
【００１３】
上記の構成によれば、上記入力検出部によってチャンネル番号の入力が検出された時には、上記記憶部に記憶されているチャンネル番号のうち、入力が検出されなかったチャンネル番号が削除され、入力が検出されたチャンネル番号のうち、上記記憶部に記憶されていないチャンネル番号が上記記憶部において記憶される。これにより、入力検出部によるチャンネル番号の入力検出後、上記記憶部のリストに記憶されるチャンネル番号は、複数のチャンネルを入力順序に記憶したものとなり、本発明における入力検出部を容易に実現できる。
【００１４】
また、上記テレビジョンシステムでは、上記テレビ装置および上記リモコン装置は無線通信機能を備えており、上記テレビ装置から上記リモコン装置へ無線通信によって番組表情報を送信可能であり、上記リモコン装置は、上記番組表情報を表示する画像表示部と、上記操作入力部および上記入力検出部として機能するタッチパネルとを有している構成とすることができる。
【００１５】
上記の構成によれば、上記リモコン装置では、上記テレビ装置から無線通信によって送信される番組表情報を上記画像表示部に表示可能であり、ユーザは、表示された番組表情報を見ながら、タッチパネルにて選局チャンネルを入力することができる。
【００１６】
また、上記テレビジョンシステムでは、上記テレビ装置から上記リモコン装置へは、無線通信によって上記番組表情報に加えて、テレビ装置が選局しているチャンネル情報を送信可能であり、上記リモコン装置の画像表示部では、上記番組表情報にテレビ装置が選局しているチャンネル情報を合わせて表示可能である構成とすることができる。
【００１７】
上記の構成によれば、ユーザは、上記画像表示部を通じて、テレビ装置が選局しているチャンネルを認識することができる。
【発明の効果】
【００１８】
本発明は、複数のチューナーを備え、複数のチャンネルを同時に表示できるテレビ装置と、上記テレビ装置を操作するリモコン装置とからなるテレビジョンシステムであって、上記リモコン装置は、ユーザがチャンネルを選択入力するための操作入力部と、上記操作入力部から入力された複数のチャンネル番号を独立して検出可能であり、かつ、選択入力された複数のチャンネル番号の入力順序をも検出可能な入力検出部と、上記入力検出部によって検出された複数のチャンネル番号と、その入力順序とをリモコン信号として上記テレビ装置へ送信する信号送信部とを備えており、上記テレビ装置は、上記リモコン信号を受信する信号受信部と、上記リモコン信号において通知される複数のチャンネル番号を、その入力順序に基づいて、上記複数のチューナーのそれぞれで受信するチャンネルを設定するチャンネル設定部とを備えている構成である。
【００１９】
それゆえ、上記テレビ装置で複数のチャンネルを同時表示する場合のチャンネル選局において、ユーザは操作入力部（例えば、ボタンキー）から表示しようとする複数のチャンネル番号を入力タイミングを僅かにずらして入力するのみでよく、ユーザにとっての操作が簡単となるといった効果を奏する。
【図面の簡単な説明】
【００２０】
【図１】本発明の一実施形態を示すものであり、（ａ）は実施の形態１に係るテレビ装置の構成を示すブロック図、（ｂ）はリモコン装置の構成を示すブロック図である。
【図２】上記リモコン装置における処理内容を示すフローチャートである。
【図３】（ａ）〜（ｃ）は、上記リモコン装置で生成されるリモコン信号の構成を示す図である。
【図４】上記テレビ装置における処理内容を示すフローチャートである。
【図５】（ａ）は２つのチャンネルが選択されている場合の表示画像例を示す図であり、（ｂ）は１つのチャンネルが選択されている場合の表示画像例を示す図である。
【図６】本発明の他の実施形態を示すものであり、（ａ）は実施の形態２に係るテレビ装置の構成を示すブロック図、（ｂ）はリモコン装置の構成を示すブロック図である。
【図７】（ａ），（ｂ）は、実施の形態２に係るリモコン装置における番組情報の表示例を示す図である。
【発明を実施するための形態】
【００２１】
〔実施の形態１〕
以下、本発明の実施の形態１について、図面を参照して説明する。図１（ａ）は本実施の形態に係るテレビ装置１００の構成を示すブロック図であり、図１（ｂ）はテレビ装置１００を操作するためのリモコン装置１２０の構成を示すブロック図である。本実施の形態１では、テレビ装置１００およびリモコン装置１２０によって、リモコンによるチャンネル選局が可能なテレビジョンシステムが構成される。
【００２２】
＜構成＞
テレビ装置１００は、第１および第２チューナー１０１，１０３の２つのチューナーと、第１および第２画像音声処理部１０２，１０４の２つの画像音声処理部と、テレビ制御部１０５と、リモコン信号受信部１０６と、画像表示部１０７と、スピーカー１０８とを備えて構成されている。
【００２３】
また、リモコン装置１２０は、Ｎ個のボタン検出部１２１と、リモコン制御部１２２と、リモコン信号送信部１２３とを備えて構成されている。
【００２４】
放送局から送信される信号はアンテナ１０９ａおよび１０９ｂにて受信され、受信した信号は第１チューナー１０１および第２チューナー１０３に入力される。第１チューナー１０１および第２チューナー１０３は、テレビ制御部１０５によりそれぞれ指定された選局チャンネルの信号を抽出する。
【００２５】
第１チューナー１０１で抽出された信号は第１画像音声処理部１０２に入力され、第２チューナー１０３で抽出された信号は第２画像音声処理部１０４に入力される。第１画像音声処理部１０２および第２画像音声処理部１０４は、入力された信号を画像データ信号と音声データ信号とに分離する。
【００２６】
第１画像音声処理部１０２により抽出された画像データ信号は画像データ信号Ａとして、音声データ信号は音声データ信号Ａとしてテレビ制御部１０５へ入力される。同様に、第２画像音声処理部１０４により抽出された画像データ信号は画像データ信号Ｂとして、音声データ信号は音声データ信号Ｂとしてテレビ制御部１０５へ入力される。
【００２７】
リモコン信号受信部１０６は、リモコン装置１２０より送られてくるリモコン信号を受信し、テレビ制御部１０５にリモコン信号を渡す。テレビ制御部１０５は、図示しないＣＰＵ、メモリなどを備えており、リモコン信号受信部１０６より受取ったリモコン信号を処理して、第１チューナー１０１および第２チューナー１０３への選局チャンネルの指定を行う。
【００２８】
テレビ制御部１０５は、第１画像音声処理部１０２および第２画像音声処理部１０４より送られてくる画像データ信号Ａ，画像データ信号Ｂ，音声データ信号Ａ，および音声データ信号Ｂに対して処理を行い、処理後の表示画像信号および音声信号を出力する。すなわち、テレビ制御部１０５は、画像データ信号Ａおよび画像データ信号Ｂより作成された表示画像信号を画像表示部１０７に出力し、音声データ信号Ａおよび音声データ信号Ｂより作成された音声信号をスピーカー１０８に出力する。
【００２９】
また、リモコン装置１２０にはＮ個のボタン検出部１２１−１〜１２１−ｎがあり、リモコン制御部１２２では、Ｎ個のボタンのそれぞれについて、ボタンが押されているか否かを独立して検出できるようになっている。
【００３０】
押されているボタンがあれば、そのボタンに対応するボタン検出部１２１は各ボタンに割り当てられたボタン番号をリモコン制御部１２２に通知する。これにより、リモコン制御部１２２では、現在押されているボタンの検出を行う。
【００３１】
この時、ボタンが２つ同時に押されている場合、２つのボタン番号の検出ができる。リモコン制御部１２２は、検出されたボタン番号の記録と既に記録されているボタン番号の情報とによりリモコン信号を作成し、このリモコン信号をリモコン信号送信部１２３に渡す。リモコン信号送信部１２３は、こうして生成されたリモコン信号をテレビのリモコン信号受信部１０６に向けて送信する。
【００３２】
＜処理＞
まずは、リモコン装置１２０における処理内容、すなわちリモコン制御部１２２の処理フローを図２を参照して説明する。
【００３３】
リモコン制御部１２２には、図示しない記憶部（以下、ＰＵＳＨリスト）があり、リモコンの押されているボタンの番号をボタン番号として記憶する。また、ＰＵＳＨリストにはボタン番号と共に、記録された順序が保存される。
【００３４】
処理フローが開始されると、ＳＴ３０２で、ボタン検出部１２１で検出される信号に基づき、１個以上のボタンが押されているかを確認する。何もボタンが押されていない時は、ＳＴ３０３の処理へ移行し、いずれかのボタンが押されている時は、ＳＴ３０４の処理を行う。
【００３５】
ＳＴ３０３では、ＰＵＳＨリストを空にする。ＳＴ３０４では、ＰＵＳＨリストに含まれているボタン番号で、現在押されているボタン番号に含まれないボタン番号を、ＰＵＳＨリストから削除する。
【００３６】
ＳＴ３０４の処理後、ＳＴ３０５では、現在押されているボタン番号で、ＰＵＳＨリストに含まれていないボタン番号を、ＰＵＳＨリストに追加する。この時、ＰＵＳＨリストに追加するボタン番号が複数ある時は、ボタン番号の昇順または降順のように規則を決めて、ＰＵＳＨリストへのボタン番号の追加が、１個ずつ追加されるようにする。
【００３７】
ＳＴ３０５の処理後、ＳＴ３０６では、上記の手順により追加されたＰＵＳＨリストのボタン番号の上位２個のボタン番号を抽出し、リモコン信号送信部１２３に渡す。ただし、ＰＵＳＨリストのボタン番号が１個の時は、１個のボタン番号のみをリモコン信号送信部１２３に渡す。
【００３８】
リモコン信号送信部１２３は、リモコン制御部１２２からボタン番号を受取ると、リモコン信号を生成し、テレビ装置１００のリモコン信号受信部１０６に向けて送信する。一般的に、テレビなどのリモコンでは赤外線通信が使用される。また、他社の家電製品が誤動作しないように、メーカーを識別するコード信号と、制御用のデータ信号が組み合わされたリモコン信号が用いられている。
【００３９】
つぎに、本実施の形態におけるリモコン信号の構成を図３を使って説明する。リモコン信号のメーカーを識別するコード信号は、従来と同様のものを使用する。データ信号の作成を以下に説明する。
【００４０】
リモコン信号送信部１２３が１個のチャンネル番号（ボタン番号）を受取った時は、選択されたチャンネル番号をデータ信号とする。この場合のリモコン信号を図３（ａ）に示す。
【００４１】
リモコン信号送信部１２３が２個のチャンネル番号を受取った時は、複数のチャンネルが選択された事を示す信号（マルチ選択）と、受取った２個のチャンネル番号をデータ信号として扱う。この場合のリモコン信号を図３（ｂ）に示す。
【００４２】
図３（ａ），（ｂ）に示すリモコン信号を用いる場合、１個のチャンネルが選択された時のデータ信号と、２個のチャンネルが選択された時のデータ信号とのデータ量が異なる。しかしながら、図３（ａ），（ｂ）のような可変長のリモコン信号を送信する方法の代わりに、固定長のリモコン信号を送信する方法もある。この場合は、１個のチャンネルが選択された場合に、図３（ａ）のリモコン信号の変わりに、図３（ｃ）に示すような十分な長さの固定長のリモコン信号を用いると良い。
【００４３】
リモコン装置１２０は、図２に示すＳＴ３０１からＳＴ３０７のリモコン制御処理フローを繰り返す。
【００４４】
次に、リモコン信号受信部１０６からリモコン信号を受信した時の、テレビ装置１００での処理フローを図４を参照して説明する。尚、テレビ制御部１０５は、図示しないメモリ（以下、選局チャンネルＡ、選局チャンネルＢ）を含んでいる。
【００４５】
リモコン信号が受信されると、ＳＴ２０１からの処理を開始する。ＳＴ２０２では、受信したリモコン信号に、複数の選局チャンネルが含まれているかを確認する。選局チャンネルが１個の時、ＳＴ２０４の処理を行い、選局チャンネルが２個の時、ＳＴ２０３の処理を行う。
【００４６】
ＳＴ２０３では、リモコン信号のチャンネル番号Ａを選局チャンネルＡに設定し、リモコン信号のチャンネル番号Ｂを選局チャンネルＢに設定する。また、ＳＴ２０４では、リモコン信号のチャンネル番号を、選局チャンネルＡに設定し、選局チャンネルＢは、チャンネル指定をなしにする。
【００４７】
ＳＴ２０３またはＳＴ２０４により、選局チャンネルＡおよび選局チャンネルＢにチャンネル番号が設定され、ＳＴ２０５にて、リモコン信号を受信した時の一連の処理を終了する。
【００４８】
また、テレビ制御部１０５は、リモコン信号の受信有無にかかわらず、以下の処理を繰り返し行う。すなわち、テレビ制御部１０５は、記録されている選局チャンネルＡを、第１チューナー１０１の選局チャンネルに指定し、記録されている選局チャンネルＢを、第２チューナー１０３の選局チャンネルに指定する。
【００４９】
第１チューナー１０１および第２チューナー１０３に選局チャンネルを指定することにより、第１画像音声処理部１０２から、画像データ信号Ａと音声データ信号Ａとがテレビ制御１０５に入力される。同様に、第２画像音声処理部１０４から、画像データ信号Ｂと音声データ信号Ｂとがテレビ制御部１０５に入力される。
【００５０】
テレビ制御部１０５は、選局チャンネルＡ，Ｂ共に、いずれかのチャンネル番号が設定されている時、画像データ信号Ａと画像データ信号Ｂとを図５（ａ）のように並べた表示画像信号を作成し、画像表示部１０７へ渡す。また、選局チャンネルＢのチャンネルが指定されていない時は、画像データ信号Ａを表示画像信号とし、画像表示部１０７へ渡す。その時は、図５（ｂ）に示すように選局チャンネルＡの画像データが画像表示部に出力される。
【００５１】
また、テレビ制御部１０５の音声信号の生成では、音声データ信号Ｂを使わずに、音声データ信号Ａのみを音声信号としてスピーカー１０８に渡す。テレビ制御部１０５は、以上の処理を繰り返し行う。
【００５２】
前述の通り、音声データ信号Ｂは使用しないため、第２画像音声処理部１０４では、入力された第２選局信号に対して、音声データ信号Ｂの作成および、テレビ制御部１０５へのデータ転送を行わないようにすると処理量を削減できる。
【００５３】
前記のＳＴ２０４のステップでは、選局チャンネルＢのチャンネルが指定なしとなる。選局チャンネルの指定がない場合は、第２チューナー１０３から第２画像音声処理部１０４に渡される信号、および第２画像音声処理部１０４からテレビ制御部１０５に入力される画像データ信号Ｂが不定なものとなる。しかしながら、この場合は、本データを使用しないために特に問題とはならない。
【００５４】
また、第２チューナー１０３への選局チャンネルが指定なしの場合、チューナーの処理を行わないようにすれば、第２チューナー１０３の消費電力を下げることができる。同様に、第２画像音声処理部１０４の処理も行わないようにすれば、更なる消費電力の削減も可能である。
【００５５】
以上の方法により、複数のボタンの同時押し検出ができるリモコン装置１２０と２個のチューナーを備えたテレビジョン装置１００により、２画面表示時の操作が容易に行える。
【００５６】
また、リモコン装置１２０による選局のボタンのタイミングのみの操作で、主となるチャンネルと副となるチャンネルとの音声を操作する事ができる。
【００５７】
さらに、本実施の形態に係るテレビジョンシステムでは、２画面表示から１画面表示に戻す時、ユーザーは、チャンネルを一つ選局し、副チャンネルにあたる２つめのチャンネルを選択せず、選局したチャンネルのボタンを離すと、２画面表示から１画面表示に切換る。このような動作により、常のテレビジョンシステムでチャンネルを選局する時のリモコン操作と同様に、マルチ表示から１画面表示への切換えができるため、ルチ表示の解除という操作が不要となる。
【００５８】
〔実施の形態２〕
以下、本発明の実施の形態２について、図面を参照して説明する。図６（ａ）は本実施の形態に係るテレビ装置４００の構成を示すブロック図であり、図６（ｂ）はテレビ装置１００を操作するためのリモコン装置４２０の構成を示すブロック図である。
【００５９】
＜構成＞
テレビ装置４００は、第１および第２チューナー４０１，４０３の２つのチューナーと、第１および第２画像音声処理部４０２，４０４の２つの画像音声処理部と、テレビ制御部４０５と、リモコン信号受信部４０６と、画像表示部４０７と、スピーカー４０８とを備えている。これらは実施の形態１におけるテレビ装置１００と同じ構成であるので、詳細な説明を省略する。さらに、テレビ装置４００は、インターネットＩ／Ｆ４１０と、番組情報処理部４１１と、無線通信を行うためのテレビ用無線通信部４１２とを含んでいる。
【００６０】
また、リモコン装置４２０は、無線通信を行うためのリモコン用無線通信部４２６と、リモコン装置全体を制御するリモコン制御部４２２と、リモコン用表示装置４２５と、タッチパネル４２４と、リモコン信号をテレビ装置４００に送信するリモコン信号送信部４２３とを備えて構成されている。
【００６１】
＜処理＞
本実施の形態２に係るテレビ装置４００およびリモコン装置４２０では、インターネットや放送局から送られてくる電子番組表からチャンネル設定を行えるものである。以下に、電子番組表を用いてチャンネル設定を行う場合の処理を説明する。
【００６２】
インターネットＩ／Ｆ４１０は、テレビ装置４００とインターネットとを接続するためのインターフェースである。番組情報処理部４１１は、このインターネットＩ／Ｆ４１０を使い、インターネット網４１３からｉＥＰＧのような電子番組表を取得する。番組情報処理部４１１により取得される電子番組表は、インターネットを利用したｉＥＰＧに限られる訳では無く、放送局から送られてくる電子番組表（ＥＰＧ）でもよい。
【００６３】
テレビ装置４００は、番組情報処理部４１１より取得した番組情報をテレビ制御部４０５を経由して、テレビ用無線通信４１２よりリモコン装置４２０に送信する。リモコン装置４２０は、リモコン用無線通信部４２６より受信した番組情報をリモコン制御部４２２に渡す。
【００６４】
本実施の形態２における、テレビ装置４００とリモコン装置４２０との無線通信は、ＩＥＥＥ８０２．１１やＢｌｕｅｔｏｏｔｈなどを用いることができる。無線通信では、他の無線通信機器との混線を避けるため、通信相手との認証を行うのが一般的である。そのため、図６（ａ）のテレビ制御部４００とテレビ用無線通信部４１２との間、および図６（ｂ）のリモコン制御部４２２とリモコン用無線通信部４２６との間を双方向にしている。
【００６５】
リモコン制御部４２２は、テレビ装置４００から送られてきた番組情報を処理し、リモコン用表示画像データを作成し、リモコン用画像表示部４２５に渡す。リモコン用画像表示部４２５は、受取ったリモコン用表示画像データを表示する。リモコン用表示画像データの表示は、例えば、図７（ａ）に示すように行う。
【００６６】
リモコン装置４２０のタッチパネル４２４としては、複数のタッチを検出できるタッチパネルを使用する。これは、例えば、液晶パネルの各画素にフォトダイオードを並べ、タッチされている画像をスキャンして、画像処理により座標を検出するタイプの物がある。このような、リモコン用画像表示部４２５とタッチパネル４２４とが一体型になった物でもよい。
【００６７】
実施の形態１では、各ボタンにチャンネル番号を割当てて、選択したいチャンネル番号に対応するボタンを押すことにより、番組を選択していた。本実施の形態２では、テレビ装置４００で取得した番組情報をリモコン装置４２０に送信し、リモコン用画像表示部４２５に番組名およびチャンネル番号を表示する。
【００６８】
リモコン装置を操作するユーザーは、見たい番組のチャンネルを調べ、チャンネルがどのボタンに割当てられているかを変換せずに、見たいチャンネルを直接選択できる。また、チャンネルへの変換すら必要なく、見たい番組を直接選択できる。
【００６９】
実施の形態２のテレビ装置４００およびリモコン装置４２０の基本的な処理は、実施の形態１のテレビ装置１００およびリモコン装置１２０と同じである。すなわち、リモコン制御部４２２には、図示しない記憶部（以下、ＰＵＳＨリスト）があり、タッチパネル４２４によって選択されたチャンネル番号を記憶する。また、ＰＵＳＨリストにはチャンネル番号と共に、記録された順序が保存される。例えば、ユーザが、選局チャンネルＡとしてチャンネル「４」を選択し、選局チャンネルＢとしてチャンネル「１０」を選択しようとする場合には、タッチパネル４２４におけるチャンネル「４」の表示領域をタッチし、チャンネル「４」の表示領域をタッチしたままで、続いてチャンネル「１０」の表示領域をタッチすればよい。
【００７０】
さらに、テレビ制御部４０５は、図示しないメモリ（以下、選局チャンネルＡ、選局チャンネルＢ）に選局チャンネルの情報を記録している。これにより、実施の形態１で説明した図２および図４の制御フローに沿った処理が行える。
【００７１】
本実施の形態２では、テレビ制御部４０５に記録されている選局チャンネルＡおよび選局チャンネルＢの情報も、番組情報と同時にテレビ用無線通信部４１２を利用してリモコン装置４２０に送信される。リモコン用無線通信部４２６は、番組情報、選局チャンネルＡおよび選局チャンネルＢを受信し、リモコン制御部４２２に渡す。
【００７２】
リモコン制御部４２２は、番組情報より作成したリモコン用表示画像データに、選局チャンネルＡを示す情報と、選局チャンネルＢとを示す情報を加えて、リモコン用画像表示部４２５に渡す。この場合のリモコン用画像表示部４２５の表示例を図７（ｂ）に示す。この例では、選局チャンネルＡを示す情報としてチャンネルと番組名を実線で囲い、選局チャンネルＢを示す情報としてチャンネルと番組名を点線で囲っている。
【００７３】
尚、上記説明においては、テレビ装置は２つのチューナーを有しているものを例示しているが、３つ以上のチューナーを有していても良い。この場合、リモコン装置では、リモコンボタンまたはタッチパネルにて入力される複数のチャンネル番号を独立して検出可能であると共に、入力された複数のチャンネル番号の入力順序をも検出可能な構成とされる。これにより、リモコン装置から通知される複数のチャンネル番号を、その入力順序に基づいて、複数のチューナーの何れで受信するかを設定することが可能となる。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７５】
本発明は、直感的なユーザーインターフェースによってテレビ番組の選局が容易になる技術であり、複数のチューナーを備え複数のテレビ番組を一度に表示できるテレビ装置において利用することができる。
【符号の説明】
【００７６】
１００，４００    テレビ装置
１０１，４０１    第１チューナー
１０２，４０２    第１画像音声処理部
１０３，４０３    第２チューナー
１０４，４０４    第２画像音声処理部
１０５，４０５    テレビ制御部（チャンネル設定部）
１０６，４０６    リモコン信号受信部（信号受信部、記憶部、メモリ制御部）
１０７，４０７    画像表示部
１０８，４０８    スピーカー
１０９，４０９    アンテナ
１２０            リモコン装置
１２１            ボタン検出部（入力検出部）
１２２，４２２    リモコン制御部（入力検出部）
１２３，４２３    リモコン信号送信部（信号送信部）
４１０            インターネットＩ／Ｆ
４１１            番組情報処理部
４１２            テレビ用無線通信部
４２４            タッチパネル（操作入力部）
４２５            リモコン用画像表示部（画像表示部）
４２６            リモコン用無線通信部
【図１】
2011109413.tif 000003
【図２】
2011109413.tif 000004
【図３】
2011109413.tif 000005
【図４】
2011109413.tif 000006
【図５】
2011109413.tif 000007
【図６】
2011109413.tif 000008
【図７】
2011109413.tif 000009